(57)【要約】【課題】１つの新聞のための頁の全てのグループを１枚のウェブに印刷することによって１枚のウェブから完成した新聞を製造する。【解決手段】複数の連続するウェブ部分に印刷する少なくとも１つの印刷ユニットが設けられており、それぞれのウェブ部分に頁の複数のグループが印刷されるようになっており、それぞれのウェブ部分に、複数のウェブ部分のうちの少なくとも１つの他のウェブ部分とは異なる内容が印刷されるようになっており、ウェブ部分を受け取りかつウェブ部分を互いに別々に貯蔵する貯蔵装置が設けられており、該貯蔵装置からウェブ部分を受け取りかつ該ウェブ部分を複数の被印刷製品に処理する折り装置が設けられており、それぞれの被印刷製品がそれぞれのウェブ部分からの頁の１つのグループを含んでいる。【選択図】図４
2011256046.tif 000002
【特許請求の範囲】
【請求項１】
印刷機において、
複数の連続するウェブ部分に印刷する少なくとも１つの印刷ユニットが設けられており、それぞれのウェブ部分に頁の複数のグループが印刷されるようになっており、それぞれのウェブ部分に、複数のウェブ部分のうちの少なくとも１つの他のウェブ部分とは異なる内容が印刷されるようになっており、
ウェブ部分を受け取りかつウェブ部分を互いに別々に貯蔵する貯蔵装置が設けられており、
該貯蔵装置からウェブ部分を受け取りかつ該ウェブ部分を複数の被印刷製品に処理する折り装置が設けられており、それぞれの被印刷製品がそれぞれのウェブ部分からの頁の１つのグループを含んでいることを特徴とする、印刷機。
【請求項２】
前記貯蔵装置が、複数の巻取ユニットを含んでおり、それぞれのウェブ部分が前記巻取ユニットのうちの１つによって貯蔵される、請求項１記載の印刷機。
【請求項３】
ウェブ部分を互いに分離するためにウェブを断裁する、少なくとも１つの印刷ユニットの下流におけるカッタが設けられている、請求項１記載の印刷機。
【請求項４】
ウェブ部分を互いに分離するためにウェブを断裁するカッタが設けられており、貯蔵装置が複数の巻取ユニットを含んでおり、カッタが少なくとも１つの印刷ユニットと巻取ユニットとの間に設けられており、それぞれのウェブ部分が巻取ユニットのうちのそれぞれ１つによって巻き取られる時にカッタがそれぞれのウェブ部分の端部においてウェブを断裁する、請求項１記載の印刷機。
【請求項５】
前記折り装置が、ウェブ部分を縦折りする少なくとも１つのフォーマを含んでいる、請求項１記載の印刷機。
【請求項６】
前記少なくとも１つのフォーマが、第１のフォーマと第２のフォーマとを含んでおり、第１のフォーマがウェブ部分のうちの幾つかを折り畳み、第２のフォーマが他のウェブ部分を折り畳む、請求項５記載の印刷機。
【請求項７】
前記折り装置が、第１のフォーマ及び第２のフォーマの下流にローラを含んでおり、第１のフォーマによって折り畳まれたウェブ部分と第２のフォーマによって折り畳まれたウェブ部分とが前記ローラにおいて重ね合わされる、請求項６記載の印刷機。
【請求項８】
前記折り装置が、複数の被印刷製品を形成するために縦折りされたウェブ部分を断裁する横裁ち装置を含んでいる、請求項５記載の印刷機。
【請求項９】
前記折り装置が、折り畳まれた大判新聞を形成するためにそれぞれの被印刷製品を横折りする横折り装置を含んでいる、請求項８記載の印刷機。
【請求項１０】
ウェブ部分を互いに分離させるためにウェブを断裁する、少なくとも１つの印刷ユニットの下流におけるカッタが設けられており、貯蔵ユニットが複数の巻取ユニットを含んでおり、それぞれのウェブ部分が前記巻取ユニットのうちの１つによって互いに別々に貯蔵されるようになっており、折り装置が少なくとも１つのフォーマと横裁ち装置とを含んでおり、フォーマが複数のウェブ部分を複数の巻取ユニットから同時に受け取り、全てのウェブ部分を縦折りしかつ組み合せ、複数の被印刷製品を形成するために縦折りされかつ組み合わされたウェブ部分を横裁ちするようになっている、請求項１記載の印刷機。
【請求項１１】
前記ウェブ部分のうちの少なくとも１つに同じ内容が繰り返し印刷されかつ複数の被印刷製品のそれぞれが同じ内容の少なくとも４つの頁を含むように、少なくとも１つの印刷ユニットがウェブを印刷する、請求項１記載の印刷機。
【請求項１２】
前記ウェブ部分が第１のウェブ部分と第２のウェブ部分とを含んでおり、第１のウェブ部分が複数の連続する第１の小部分を含んでおりかつ第２のウェブ部分が複数の連続する第２の小部分を含んでおり、それぞれの第１の小部分が４頁の内容を含んでおり、それぞれの第２の小部分が４頁の内容を含んでおり、それぞれの被印刷製品が第１の小部分のうちの１つと第２の小部分のうちの１つとを含んでおり、それぞれの第１の小部分の４頁の内容が、それぞれの被印刷製品の第１、第２、最後、及び最後から２番目の頁を形成しており、それぞれの第２の小部分の４頁の内容が、それぞれの被印刷製品の第３、第４、最後から３番目、及び最後から４番目の頁を形成している、請求項１記載の印刷機。
【請求項１３】
それぞれの第１の小部分の４頁の内容がそれぞれ、他の第１の小部分の４頁の内容と同じであるように第１の小部分には全て同じ内容が印刷され、それぞれの第２の小部分の４頁の内容がそれぞれ、他の第２の小部分の４頁の内容と同じであるように第２の小部分には全て同じ内容が印刷される、請求項１２記載の印刷機。
【請求項１４】
少なくとも幾つかの第１の小部分の４頁の内容が少なくとも幾つかの他の第１の小部分の４頁の内容と異なるように、少なくとも幾つかの第１の小部分に互いに異なる内容が印刷され、少なくとも幾つかの第２の小部分の４頁の内容が少なくとも幾つかの他の第２の小部分の４頁の内容と異なるように、少なくとも幾つかの第２の小部分に互いに異なる内容が印刷される、請求項１２記載の印刷機。
【請求項１５】
前記印刷ユニットが、デジタル印刷エンジンである、請求項１記載の印刷機。
【請求項１６】
前記印刷ユニットが、非デジタル印刷ユニットである、請求項１記載の印刷機。
【請求項１７】
それぞれの頁のグループが４頁を含んでおり、２頁はウェブの第１の面に印刷され、２頁はウェブの第２の面に印刷される、請求項１記載の印刷機。
【請求項１８】
ウェブの第１の面における２つの頁を互いに分割しかつウェブの第２の面における２つの頁を互いに分割する線に沿ってそれぞれの頁のグループに折り目が形成されるように、前記折り装置がウェブ部分を縦折りする、請求項１７記載の印刷機。
【請求項１９】
前記折り装置が、被印刷製品の１つを形成するために、それぞれのウェブ部分の１つの頁グループの前縁に沿って、次いでそれぞれのウェブ部分の１つの頁グループの後縁に沿って、ウェブ部分を一緒に横裁ちし、請求項１８記載の印刷機。
【請求項２０】
それぞれの被印刷製品が、ウェブ部分の数の４倍に等しい頁数を含んでいる、請求項１９記載の印刷機。
【請求項２１】
複数のウェブ部分のそれぞれに、他の複数のウェブ部分とは異なる内容が印刷される、請求項１記載の印刷機。
【請求項２２】
新聞を形成する方法において、
複数の連続するウェブ部分に印刷し、それぞれのウェブ部分に複数の頁グループが印刷され、それぞれのウェブ部分に、複数のウェブ部分のうちの少なくとも１つの他のウェブ部分とは異なる内容が印刷され、
ウェブ部分を貯蔵し、
ウェブ部分を縦折りし、縦折りされたウェブ部分を重ね合わせ、
重ね合わされて縦折りされたウェブ部分を複数の被印刷製品に断裁し、それぞれの被印刷製品が、それぞれのウェブ部分からの１つの頁グループを含んでいることを特徴とする、新聞を形成する方法。
【請求項２３】
ウェブ部分を貯蔵するステップが、それぞれのウェブ部分を異なる巻取ユニットの周囲に巻き取ることを含んでいる、請求項２２記載の方法。
【請求項２４】
ウェブ部分を縦折りし、縦折りされたウェブ部分を重ね合わせるステップが、ウェブ部分のうちの幾つかを第１のフォーマによって縦折りし、他のウェブ部分を第２のフォーマによって縦折りし、第１のフォーマ及び第２のフォーマの下流において、縦折りされたウェブの全てを重ね合わせることを含む、請求項２３記載の方法。
【請求項２５】
それぞれのウェブ部分が複数の小部分を含んでおり、印刷するステップが、それぞれの小部分に頁グループのうちの１つを印刷することを含んでいる、請求項２２記載の方法。
【請求項２６】
それぞれのウェブ部分の全ての小部分がそのウェブ部分の全ての他の小部分と同じ１つの頁グループを含むようにそれぞれのウェブ部分に同じ頁グループが繰り返し印刷され、それぞれのウェブ部分が、他のウェブ部分とは異なる頁グループを含んでおり、それぞれの被印刷製品がそれぞれのウェブ部分からの１つの頁グループを含んでおり、それぞれの被印刷製品が他の被印刷製品と同じ頁を含んでいる、請求項２５記載の方法。
【請求項２７】
複数のウェブ部分が、小部分を含んだ第１のウェブ部分を含んでおり、第１のウェブ部分の小部分の全てに同じ頁グループが印刷される、請求項２２記載の方法。
【請求項２８】
複数のウェブ部分が、小部分を含んだ第２のウェブ部分を含んでおり、第２のウェブ部分の小部分の少なくとも幾つかに異なる頁グループが印刷される、請求項２７記載の方法。
【請求項２９】
複数のウェブ部分のそれぞれに、他の複数のウェブ部分と異なる内容が印刷される、請求項２２記載の方法。
【発明の詳細な説明】
【技術分野】
【０００１】
本願は、引用したことにより本明細書に記載されたものとする、２０１０年６月４日に出願された米国特許出願第６１／３９６８９６号明細書の利益を請求する。
【０００２】
本発明は、概して印刷機、特に印刷されたウェブから新聞を形成するための方法及び装置に関する。
【背景技術】
【０００３】
従来の大判新聞は、ウェブを長手方向で折り畳み、折り畳まれたウェブを刷り本に断裁し、次いで刷り本を横折りするように設計された折り装置を用いて高速で製造される、様々な数の折り丁における様々な数の頁を有している。頁の各グループは別々のウェブに印刷され、（頁を印刷するユニットの判型に応じて）各ウェブは別々に折り装置へ供給され、これにより、１２個の異なる印刷ユニットによって提供される１２枚までのウェブが、同時に１つの折り装置へ供給されてよい。
【０００４】
印刷された頁がデジタル式に製造される場合、種々異なる頁のグループを１つのウェブに順次に生成することが望ましく、これにより、理論的には、従来１２枚までのウェブに印刷される新聞を、今や１枚のウェブに印刷することができる。図１ａは、方向１１′に走行する１枚のウェブ１２′に種々異なる頁のグループを順次に印刷する慣用のデジタル印刷技術の例の上面図及び下面図を示している。順次に印刷されたグループは次いで１つの新聞１８′（図１ｂ）又は新聞の折り丁に変換される。両面刷り印刷ユニット１０′は、ウェブ１２′の両面に印像を印刷する。この例において、印刷ユニット１０′は、１６頁新聞をウェブ１２′に印刷しており、そのうち８つの頁Ａ′，Ｃ′，Ｅ′，Ｇ′，Ｊ′，Ｌ′，Ｎ′，Ｐ′はウェブ１２′の第１の側若しくは下側に印刷しており、８つの頁Ｂ′，Ｄ′，Ｆ′，Ｈ′，Ｉ′，Ｋ′，Ｍ′，Ｏ′はウェブ１２′の第２の側若しくは上側に印刷されている。印刷の後、ウェブ１２′の部分１２ａ′，１２ｂ′，１２ｃ′，１２ｄ′を互いに分離するために、ウェブ１２′は線１４ａ′，１４ｂ′，１４ｃ′，１４ｄ′に沿って横裁ちされる。分離された部分１２ａ′，１２ｂ′，１２ｃ′，１２ｄ′は次いで積み重ねられ、それぞれの部分１２ａ′，１２ｂ′，１２ｃ′，１２ｄ′の折り線１５′に沿って縦折りされ、４つの折り畳まれたシート１６ａ′，１６ｂ′，１６ｃ′，１６ｄ′（図１ｂ）を形成し、それぞれのシートは異なる内容を含んでいる。第１のシート１６ａ′は４つの頁Ａ′，Ｂ′，Ｏ′，Ｐ′の第１のグループを有していてよく、第２のシート１６ｂ′は４つの頁Ｃ′，Ｄ′，Ｍ′，Ｎ′の第２のグループを有していてよく、第３のシート１６ｃ′は、４つの頁Ｅ′，Ｆ′，Ｋ′，Ｌ′の第３のグループを有していてよく、第４のシート１６ｄ′は４つの頁Ｇ′，Ｈ′，Ｉ′，Ｊ′の第４のグループを有していてよい。シート１６ａ′，１６ｂ′，１６ｃ′，１６ｄ′は、図１ｂに示された１６頁新聞１８′を形成するように収集されてよく、シートは次いで横折りされる。シート１６ａ′，１６ｂ′，１６ｃ′，１６ｄ′は、従来の形式で読まれる時に頁Ａ′からＰ′までがアルファベット順になるように新聞１８′に配置される。
【０００５】
印刷ユニット１０′は、第１のウェブ部分１２ａ′に頁Ａ′，Ｂ′，Ｏ′，Ｐ′を印刷し、ウェブ部分１２ａ′にすぐ続く第２のウェブ部分１２ｂ′に頁Ｃ′，Ｄ′，Ｍ′，Ｎ′を印刷し、ウェブ部分１２ｂ′にすぐ続く第３のウェブ部分１２ｃ′に頁Ｅ′，Ｆ′，Ｋ′，Ｌ′を印刷し、ウェブ部分１２ｃ′にすぐ続く第４のウェブ部分１２ｄ′に頁Ｇ′，Ｈ′，Ｉ′，Ｊ′を印刷する。この時、印刷ユニット１０′は、１６頁新聞１８′の全体を印刷し終えており、次いで別の１６頁新聞１８′をウェブ部分１２ｅ′から１２ｈ′に印刷し始める。ウェブ部分１２ｅ′から１２ｈ′までには、頁Ａ′からＰ′までが印刷され、折り線１５′に沿って縦折りされ、線１４ｅ′，１４ｆ′，１４ｇ′，１４ｈ′に沿って横裁ちされ、４つの連続したシート１６ａ′，１６ｂ′，１６ｃ′，１６ｄを形成し、これらのシートは収集されて別の新聞１８′を形成する。このプロセスは、印刷ユニット１０′がウェブ部分１２ｉ′における頁Ａ′，Ｂ′，Ｏ′，Ｐ′に印像を印刷することによって継続し、所望の数の１６頁新聞１８′が製造されるまで、上述の形式で進行する。
【発明の概要】
【発明が解決しようとする課題】
【０００６】
本発明の課題は、１つの新聞のための頁の全てのグループを１枚のウェブに印刷することによって１枚のウェブから完成した新聞を製造することである。
【課題を解決するための手段】
【０００７】
複数の連続したウェブ部分に印刷する少なくとも１つの印刷ユニットを有する印刷機が提供される。それぞれのウェブ部分には複数の頁のグループが印刷され、それぞれのウェブ部分には、複数のウェブ部分のうちの少なくとも１つの別のウェブ部分とは異なる内容が印刷される。印刷機は、ウェブ部分を受け取りかつウェブ部分を互いに別々に貯蔵する貯蔵装置と、ウェブ部分を貯蔵装置から受け取りかつウェブ部分を複数の被印刷製品に処理する折り装置とを有している。それぞれの被印刷製品は、それぞれのウェブ部分からの頁の１つのグループを含んでいる。
【０００８】
新聞を形成する方法も提供される。この方法は、複数の連続するウェブ部分に印刷することを含む。それぞれのウェブ部分には頁の複数のグループが印刷され、それぞれのウェブ部分には、複数のウェブ部分のうちの少なくとも１つの他のウェブ部分とは異なる内容が印刷される。この方法は、ウェブ部分を貯蔵し、ウェブ部分を縦折りし、縦折りされたウェブ部分を重ね合わせ、重ね合わされた縦折りされたウェブ部分を複数の被印刷製品に断裁することも含む。それぞれの非印刷製品は、それぞれのウェブ部分からの頁の１つのグループを含んでいる。
【０００９】
本発明を以下の図面を参照しながら以下に説明する。
【図面の簡単な説明】
【００１０】
【図１ａ】頁のそれぞれ異なるグループを１枚のウェブに順次に印刷する慣用のデジタル印刷技術の例の上面図及び下面図を示している。
【図１ｂ】図１ａに示された印刷技術により形成された新聞の斜視図を示している。
【図２ａ】本発明の実施の形態による印刷技術の上面図及び下面図を示している。
【図２ｂ】図２ａに示された印刷技術により形成された新聞の斜視図を示している。
【図３】本発明の実施の形態による印刷機を概略的に示している。
【図４】本発明の実施の形態による印刷機を概略的に示している。
【発明を実施するための形態】
【００１１】
従来の新聞折り装置は、１枚のウェブから完成した新聞を製造することができない。なぜならば、従来の新聞折り装置の基礎となる原理は、複数の頁グループを順次にではなく同時に印刷して組み合わせることだからである。慣用のデジタル印刷機は、１つの新聞のための頁の全てのグループを多数のウェブに順次に印刷し、すぐ続いて次の新聞のための頁の全てのグループを同じ数のウェブに印刷することによって、新聞を印刷する。１枚のウェブから印刷された新聞を折り畳むために慣用の折り装置を用いることができることは有利である。これは、短時間での新聞製作のために特に有効である。
【００１２】
以下で説明される本発明の実施の形態の印刷技術は、有利には、短時間運転、すなわち少数の印刷製品を含む印刷ジョブにおいて印刷するために有利には用いられてよい。全てが互いに同じ内容を含んでいる頁の第１のグループは、印刷された頁の第１のグループの数が新聞の所望の数と等しくなるまで１枚のウェブの第１の部分に繰り返し印刷される。次いで、全てが、頁の第１のグループの内容とは異なるが互いに同じ内容を含んでいる頁の次のグループが、第１のウェブ部分にすぐ続く同じウェブの第２の部分に、頁の第１のグループに続いてそれぞれの新聞のために印刷される。頁の第２のグループは、ウェブに印刷された頁の第２のグループ数が、ウェブに印刷された頁の第１のグループの数と等しくなるまで、ウェブの第２の部分に繰り返し印刷される。図３及び図４に関連して以下で説明するように、繰り返し印刷された頁の１つのグループを含むそれぞれの部分は、次いで、複数の貯蔵ロールの内の１つに巻き取られる。それぞれの新聞のための、頁のそれぞれ異なるグループの全てが、個々の連続したウェブ部分に印刷されて、個々の貯蔵ロールに貯蔵された後、全てのウェブ部分はまとめられ、頁のそれぞれ異なるグループは折り畳まれて組み合わされて新聞を形成し、それぞれの新聞は、それぞれ異なるウェブ部分からの頁の１つのグループを含んでいる。
【００１３】
図２ａは、好適な実施の形態において大判新聞である複数の被印刷製品を製造するために使用されてよい本発明の実施の形態による印刷技術の上面図及び下面図を示している。この例において、概略的に示された両面刷り印刷ユニット１０は、方向１１に走行するウェブ１２の両面に印像を印刷することにより、ウェブ１２に１６頁新聞の内容を形成し、その際、８つの頁Ａ，Ｃ，Ｅ，Ｇ，Ｊ，Ｌ，Ｎ，Ｐはウェブ１２の第１の側若しくは下側に印刷されており、８つの頁Ｂ，Ｄ，Ｆ，Ｈ，Ｉ，Ｋ，Ｍ，Ｏはウェブ１２の第２の側若しくは上側に印刷されている。この実施の形態によれば１つの印刷ユニット１０が説明されているが、ウェブ１２に多色印像を印刷するために複数の印刷ユニットが使用されてよいことに注意すべきである。
【００１４】
印刷ユニット１０は、製造すべき５つの全ての新聞１８（図２ｂ）のための頁Ａ，Ｂ，Ｏ，Ｐの第１のグループを繰り返し印刷することから開始し、次いで、頁Ａ，Ｂ，Ｏ，Ｐの第１のグループの全てが印刷された後、頁Ａ，Ｂ，Ｏ，Ｐの最後にすぐ続いて、製造すべき５つの全ての新聞１８のための頁Ｃ，Ｄ，Ｍ，Ｎの第２のグループを印刷し、頁Ｃ，Ｄ，Ｍ，Ｎの第２のグループの全てが印刷された後、頁Ｃ，Ｄ，Ｍ，Ｎの最後にすぐ続いて、製造すべき５つの全ての新聞１８のための頁Ｅ，Ｆ，Ｋ，Ｌの第３のグループを印刷し、最後に、頁Ｅ，Ｆ，Ｋ，Ｌの第３のグループの全てが印刷された後、頁Ｅ，Ｆ，Ｋ，Ｌの最後にすぐ続いて、製造すべき５つの全ての新聞１８のための、頁Ｇ，Ｈ，Ｉ，Ｊの第４のグループを印刷する。図２ａに示すように、印刷ユニット１０は、ウェブ１２の第１の小部分１３ａに頁Ａ，Ｂ，Ｏ，Ｐの第１のグループを繰り返し印刷し、印刷ユニット１０は、頁Ａ，Ｂ，Ｏ，Ｐをそれぞれ第１のウェブ小部分１２ａと、第１のウェブ小部分１２ａにすぐ続く第２のウェブ小部分１２ｂと、第２のウェブ小部分１２ｂにすぐ続く第３のウェブ小部分１２ｃと、第３のウェブ小部分１２ｃにすぐ続く第４のウェブ小部分１２ｄと、第４のウェブ小部分１２ｄにすぐ続く第５のウェブ小部分１２ｅとに印刷する。
【００１５】
５つの全ての新聞１８のための頁Ａ，Ｂ，Ｏ，Ｐの第１のグループを印刷した後、印刷ユニット１０は、次いで、５つの全ての新聞１８のための頁Ｃ，Ｄ，Ｍ，Ｎの第２のグループの全てを印刷し、ウェブの第２の部分１３ｂに頁Ｃ，Ｄ，Ｍ，Ｎを繰り返し印刷することにより、印刷ユニット１０は、それぞれのウェブ部分１２ｆ，１２ｇ，１２ｈ，１２ｉ，１２ｊに頁Ｃ，Ｄ，Ｍ，Ｎを印刷する。５つの全ての新聞１８のための頁の第２のグループを印刷した後、印刷ユニット１０は、次いで、５つの全ての新聞１８のための頁Ｅ，Ｆ，Ｋ，Ｌの第３のグループの全てを印刷し、ウェブ１２の第３の部分１３ｃに頁Ｅ，Ｆ，Ｋ，Ｌを繰り返し印刷することにより、印刷ユニット１０は、それぞれのウェブ小部分１２ｋ，１２ｌ，１２ｍ，１２ｎ，１２ｏに頁Ｅ，Ｆ，Ｋ，Ｌを印刷する。５つの全ての新聞１８のための頁の第３のグループを印刷した後、印刷ユニット１０は、次いで、５つの全ての新聞１８のための頁Ｇ，Ｈ，Ｉ，Ｊの第４のグループの全てを印刷し、ウェブ１２の第４のウェブ部分１３ｄに頁Ｇ，Ｈ，Ｉ，Ｊを繰り返し印刷することにより、印刷ユニット１０は、それぞれのウェブ小部分１２ｐ，１２ｑ，１２ｒ，１２ｓ，１２ｔに頁Ｇ，Ｈ，Ｉ，Ｊを印刷する。印刷ユニット１０が、頁Ｇ，Ｈ，Ｉ，Ｊの第４のグループの５つの全てのセットを印刷した後、印刷ユニット１０は、５つの１６頁新聞１８の全ての内容をウェブ１２に印刷し終えたことになる。
【００１６】
この典型的な実施の形態において、印刷ユニット１０は、５つの新聞１８（図２ｂ）の内容をウェブ１２に印刷している。しかしながら、ここで説明される技術は、より多くの新聞、つまり数百又は数千の新聞を印刷するために使用されてよい。連続するそれぞれのウェブ部分１３ａ，１３ｂ，１３ｃ，１３ｄを印刷した後、それぞれのウェブ部分１３ａ，１３ｂ，１３ｃ，１３ｄが印刷ユニット１０から出た後にウェブ１２はそれぞれの線１４ｅ，１４ｊ，１４ｏ，１４ｔに沿って断裁され、ウェブ部分１３ａ，１３ｂ，１３ｃ，１３ｄは順次に貯蔵装置２６（図３及び図４）へ送られることにより、それぞれのウェブ部分１３ａ，１３ｂ，１３ｃ，１３ｄは貯蔵装置２６に別々に貯蔵される。ウェブ部分１３ａ，１３ｂ，１３ｃ，１３ｄは次いで、貯蔵装置２６から同時に導出され、１つ又は２つ以上のフォーマ３０ａ，３０ｂ（図３及び図４）によって折り線１５に沿って縦折りされる。折り線１５は、それぞれのウェブ部分１３ａ，１３ｂ，１３ｃ，１３ｄの一方の面における頁Ａ，Ｃ，Ｅ，Ｇを頁Ｊ，Ｌ，Ｎ，Ｐから分割しており、それぞれのウェブ部分１３ａ，１３ｂ，１３ｃ，１３ｄの他方の面における頁Ｂ，Ｄ，Ｆ，Ｈを頁Ｊ，Ｋ，Ｍ，Ｏから分割している。次いで、小部分１２ａ，１２ｆ，１２ｋ，１２ｐの前縁が互いに揃えられてウェブ部分１３ａ，１３ｂ，１３ｃ，１３ｄが互いに重ね合わされると、全てのウェブ部分１３ａ，１３ｂ，１３ｃ，１３ｄはまとめて断裁される。第１に、全てのウェブ部分１３ａ，１３ｂ，１３ｃ，１３ｄはまとめて線１４ａ，１４ｆ，１４ｋ，１４ｐに沿って同時に断裁されて第１の新聞１８（図２）を形成し、第２に、全てのウェブ部分１３ａ，１３ｂ，１３ｃ，１３ｄはまとめて線１４ｂ，１４ｇ，１４ｌ，１４ｑに沿って同時に断裁されて第２の新聞１８を形成し、第３に、全てのウェブ部分１３ａ，１３ｂ，１３ｃ，１３ｄはまとめて線１４ｃ，１４ｈ，１４ｍ，１４ｒに沿って同時に断裁されて第３の新聞１８を形成し、第４に、全てのウェブ部分１３ａ，１３ｂ，１３ｃ，１３ｄはまとめて線１４ｄ，１４ｉ，１４ｎ，１４ｓに沿って同時に断裁されて第４の新聞１８及び第５の新聞８を形成する。
【００１７】
図２ｂに示すように、この典型的な実施の形態におけるそれぞれの新聞１８は、４つのシート１６ａ，１６ｂ，１６ｃ，１６ｄによって形成された１６頁を含んでいる。全ての小部分１２ａ〜１２ｅは、それぞれ４つの頁Ａ，Ｂ，Ｏ，Ｐの第１のグループを含む第１のシート１６ａを形成し、全ての小部分１２ｆ〜１２ｊは、それぞれ４つの頁Ｃ，Ｄ，Ｍ，Ｎの第２のグループを含む第２のシート１６ｂを形成し、全ての小部分１２ｋ〜１２ｏは、それぞれ４つの頁Ｅ，Ｆ，Ｋ，Ｌの第３のグループを含む第３のシート１６ｃを形成し、全ての小部分１２ｐ〜１２ｔは、それぞれ４つの頁Ｇ，Ｈ，Ｉ，Ｊの第４のグループを含む第４のシート１６ｄを形成する。シート１６ａ，１６ｂ，１６ｃ，１６ｄは、頁Ａ〜Ｐが従来の形式で読まれたときにアルファベット順になるように新聞１８に配置される。従って、シート１６ａは、第１の頁Ａと、第２の頁Ｂと、最後から２番目の頁Ｏと、最後の頁Ｐとを含んでおり、シート１６ｂは、第３の頁Ｃと、第４の頁Ｄと、最後から４番目の頁Ｍと、最後から３番目の頁Ｎとを含んでおり、シート１６ｃは、第５の頁Ｅと、第６の頁Ｆと、最後から６番目の頁Ｋと、最後から５番目の頁Ｌとを有しており、シート１６ｄは、第７の頁Ｇと、第８の頁Ｈと、最後から８番目の頁Ｉと、最後から７番目の頁Ｊとを含んでいる。
【００１８】
ウェブ部分１３ａ〜１３ｄには、シート１６ａ〜１６ｄが新聞１８において示す順序でシート１６ａ〜１６ｄの内容が印刷される必要はなく、ウェブ部分１３ａ，１３ｂ，１３ｃ，１３ｄが縦折りされる時にウェブ部分１３ａ，１３ｂ，１３ｃ，１３ｄが後で正しく重ね合わされる限りはあらゆる好都合な順序で印刷されてよい。例えば、第１の頁Ａと、第２の頁Ｂと、最後から２番目の頁Ｏと、最後の頁Ｐとを含んだシート１６ａの内容は、シート１６ｂ，１６ｃ，１６ｄの内容の前にウェブ１２に印刷される必要はない。シート１６ａ（頁Ａ，Ｂ，Ｏ，Ｐ）、シート１６ｂ（頁Ｃ，Ｄ，Ｍ，Ｎ）、シート１６ｃ（頁Ｅ，Ｆ，Ｋ，Ｌ）、シート１６ｄ（頁Ｇ，Ｈ，Ｉ，Ｊ）のいずれかの内容は、まずウェブ１２のウェブ部分１３ａに繰り返し印刷され、その後にシート１６ａ，１６ｂ，１６ｃ，１６ｄのいずれかが、ウェブ部分１３ａにすぐ続いてウェブ１２のウェブ部分１３ｂに繰り返し印刷される。これは、シート１６ａ，１６ｂ，１６ｃ，１６ｄのうちの幾つかのための内容が、最終的な新聞１８におけるシート１６ａ，１６ｂ，１６ｃ，１６ｄの順序ではなく、他のシート１６ａ，１６ｂ，１６ｃ，１６ｄよりも早く得られるという点で、いつ新聞１８の印刷が始まるかに関して独特な利点である。例えば、頁Ｅ，Ｆ，Ｋ，Ｌの内容がまず得られるならば、シート１６ｃの内容がウェブセクション１３ａに印刷される。印刷機オペレータは、印刷が始まる前に新聞１８の特定のシートの内容が得られるまで待つ必要がない。
【００１９】
印刷ユニット１０を有する印刷機、例えば図３及び図４に示された印刷機１００のオペレータが５００部の新聞１８（図２ｂ）を印刷したい場合、オペレータは、キーボード及び／又はマウス及び／又は制御装置２００（図３及び図４）のタッチスクリーン等のヒューマンマシンインターフェースを使用して新聞１８の部数を制御装置２００に入力する。次いで、制御装置２００は、ウェブ１２の連続する５００のウェブ小部分に頁Ａ，Ｂ，Ｏ，Ｐの第１のグループの５００セットを印刷し、そのすぐ後に次の連続する５００のウェブ小部分に頁Ｃ，Ｄ，Ｍ，Ｎの第２のグループの５００セットを印刷し、そのすぐ後に次の連続する５００のウェブ小部分に頁Ｅ，Ｆ，Ｋ，Ｌの５００セットを印刷し、そのすぐ後に次の連続する５００のウェブ小部分に頁Ｇ，Ｈ，Ｉ，Ｊの第４のグループの５００セットを印刷するように、印刷ユニットに指示する。従って、頁Ｇ，Ｈ，Ｉ，Ｊの第４のグループの５００セット全てがウェブ１２に印刷された後、印刷ユニット１０は、全ての５００部の新聞１８をウェブ１２に印刷し終えたことになる。
【００２０】
図３及び図４は、本発明の実施の形態による印刷機１００を概略的に示している。印刷機１００は、少なくとも１つの印刷ユニット１０を有する印刷セクション１１０を有しており、有利には図２ａに関連して上で説明したようにウェブ１１２のそれぞれ連続するウェブ部分１１２ａ〜１１２ｉに頁のそれぞれ異なるグループを順次に印刷することにより、一枚のウェブ１１２から連続する完成した新聞１１８を形成する。図３及び図４に関連して説明される典型的な実施の形態において、それぞれの新聞１１８は頁の９個のグループから成り、それぞれのグループは４つの頁を含んでいるので、例えば６４頁を含む２０００部の新聞１１８が製造されてよい。それぞれの新聞１１８の３２の頁は、特定の印刷ジョブに応じて、他の新聞１１８と同じ又は異なる内容を含んでよい。
【００２１】
図３に示すように、印刷機１００は、この実施の形態では好適にはデジタル印刷エンジン、例えば電子写真印刷エンジン又はインクジェット印刷エンジンである印刷ユニット１０にウェブ１１２を供給するためのロール供給部２２を有している。ウェブ１１２のそれぞれの小部分に印刷すべき内容に関する情報を記憶したメモリを有する制御装置２００は、適切な内容が望み通りにウェブ１１２に印刷されるように印刷ユニット１０を制御してよい。例えば、印刷機オペレータが、全ての２０００部の新聞１１８がまさに同じ内容を含むことを要求する印刷ジョブを運転しているならば、印刷機オペレータは直接に又は間接的に印刷ジョブデータを制御装置２００に提供し、制御装置２００は印刷ユニット１０に指示して、頁の第１のグループをウェブ１１２に２０００回連続して印刷させる。印刷ユニット１０が頁の第１のグループを２０００回印刷した後、制御装置２００は印刷ユニット１０に指示して、頁の第２のグループをウェブ１１２に２０００回印刷させる。次いで、頁の９つのグループのそれぞれが適切な回数だけウェブ１１２に印刷されるまでこのプロセスが継続される。例えば、印刷機オペレータが、２０００部の新聞のうちの少なくとも幾つかが少なくとも幾つかの異なる内容を含むことを要求する印刷ジョブを運転しているならば、印刷機オペレータは直接に又は間接的に印刷ジョブデータを制御装置２００に提供し、制御装置２００は印刷ユニット１０に指示して、印刷ユニット１０に、それぞれの被印刷製品のためのカスタマイズされたプランに従って頁の第１のグループをウェブ１１２に２０００回連続して印刷させる。例えば、それぞれの新聞１１８は特定の顧客の好みに基づいて３６頁のそれぞれに個人向け内容を含んでよいか、又は新聞１１８はほとんどが同じ内容を含み、３６頁のうちの１頁又は数頁だけに個人向け内容を含んでもよい。また、新聞１１８は、２つ又は３つ以上の異なるグループのために形成されてよい。例えば、２０００部の新聞１１８のうちの４００部は第１のグループのためのカスタマイズされた内容を含み、７００部は第２のグループのためのカスタマイズされた内容を含み、９００部は第３のグループのためのカスタマイズされた内容を含んでいてよい。
【００２２】
印刷ユニット１０によってウェブ１１２が印刷されると、ウェブ１１２は、複数の巻取ユニット２８、例えば９つの巻取ユニット２８ａ〜２８ｉを含む貯蔵装置２６へ送られる。ウェブ１１２の前縁は、例えば引用したことにより本明細書に記載されたものとする米国特許第６９２３１１９号明細書に開示されたような、ウェブ１１２の側縁に接触する複数のサイドグリッパ、又はウェブ１１２の上面及び下面に接触する搬送テープを用いて貯蔵装置２６内へ送られてよい。それぞれ頁の第１のグループが印刷された２０００の連続する小部分を含んだ第１のウェブ部分１１２ａは、第１の巻取ユニット２８ａへ提供されてよい。第１のウェブ部分１１２ａに頁の第１のグループの２０００のセット全てのための内容が印刷された後、ウェブ１１２は、第１のウェブ部分１１２ａの端部（すなわち頁の第１のグループの２０００番目の小部分の後縁）において部分カッタ３２によって断裁され、第１のウェブ部分１１２ａに続く第２のウェブ部分１１２ｂの前縁を形成し、第１のウェブ部分１１２ａをウェブ１１２から分離させる。部分カッタ３２は、印刷ユニット１０によってウェブ１１２に印刷された方向に基づいて制御装置２００によって制御されてよい。第１のウェブ部分１１２ａの端部において、印刷ユニット１０は、第１のウェブ部分１１２ａの終了を示すコードをウェブ１１２に印刷してよい。センサは、コードを読み取り、制御装置２００又は付加的な制御装置を介して、部分カッタ３２にウェブ１１２を断裁させる。択一的な実施の形態において、部分カッタ３２が貯蔵装置２６の内部に配置されているか又は複数の部分カッタ３２が貯蔵装置２６の内部に配置されていてよい。複数の部分カッタ３２が用いられる場合、１つの部分カッタ３２がそれぞれの巻取ユニット２８のために設けられているか又は１つの部分カッタ３２が巻取ユニット２８のそれぞれの列又は行のために設けられていてよい。
【００２３】
頁の第２のグループのセットが印刷された第２のウェブ部分１１２ｂが第２の巻取ユニット２８ｂの周囲に巻き取られるようにウェブ１１２は次いで第２の巻取ユニット２８ｂへ案内される。第２の巻取ユニット１８ｂへのウェブ１１２の案内は、第１の巻取ユニット２８ａを貯蔵装置２８の入口から移動させ、第２の巻取ユニット２８ｂを貯蔵装置２６の入口に配置することによって達成されてよい。巻取ユニット２８ａ〜２８ｉは、巻取ユニットの端部において、貯蔵装置２６のフレームに摺動可能に取り付けられていてよく、貯蔵装置２６の入口位置へ又はこの入口位置から手動で又は制御装置２００によって制御される電気機械的なアクチュエータによって移動させられてよい。巻取ユニット２８ａ〜２８ｉの位置は、ウェブ１１２に印刷されかつセンサ１３２によって読み取られるコードに関して制御されてよい。従って、ウェブ１１２に印刷されたコードは、どの巻取ユニット２８ａ〜２８ｉが入口位置へ移動させられる必要があるかに関する情報とともに、部分カッタ３２及び貯蔵装置２６のためのタイミング情報を含んでいてよい。次の巻取ユニット２８ａ〜２８ｉが入口位置へ移動させられるときにウェブ１１２を一時的に貯蔵するために、貯蔵装置２６の入口の近傍に、一時的ウェブ貯蔵セクションが設けられてもよい。
【００２４】
１つの択一的な実施の形態において、巻取ユニット２８ａ〜２８ｉのうちの１つを次のものへ切り換える間、巻取ユニット２８ａ〜２８ｉは移動させられなくてよく、貯蔵装置２６は、ウェブ１１２を適切な巻取ユニット２８ａ〜２８ｉへ送るためのインターバルで間隔を置いて配置された、センサ１３２によって読み取られたコードに基づいて制御装置２００によって制御されてよい分流装置を有していてよい。このような実施の形態において、適切に整合させられたサイドグリッパ、ローラ、ターニングバー及び／又は搬送テープが、それぞれのウェブ部分１１２ａ〜１１２ｉを対応する巻取ユニット２８ａ〜２８ｉへ案内するために、貯蔵装置２６に設けられていてもよい。別の択一的な実施の形態において、ウェブ部分１１２ａ〜１１２ｉは一人又は複数のオペレータによって手動で巻取ユニット２８ａ〜２８ｉへ送られてよい。
【００２５】
第２のウェブ部分１１２ｂに、頁の第１のグループの２０００セット全てのための内容が印刷され、実質的に第２のウェブ部分１１２ｂの全体が第２の巻取ユニット２８ｂによって収集された後、ウェブ１１２は、第２のウェブ部分１１２ｂの端部（すなわち頁の第２のグループの２０００番目の小部分の後縁）と、第２のウェブ部分１１２ｂに続く第３のウェブ部分１１２ｃの最初の部分とにおいて、部分カッタ３２によって断裁され、第２のウェブ部分１１２ｂをウェブ１１２から分離させる。ウェブ１１２の巻戻し、断裁及び方向転換のこのプロセスは、新聞１１８の頁の全てのグループを含む全ての部分１１２ａ〜１１２ｉが貯蔵装置２６に収集されるまで繰り返される。それぞれ別個のウェブ部分１１２ａ〜１１２ｉが別々の巻取ユニット２８に正しく提供されるように、複数のセンサ及び制御装置２００が使用されてよい。巻取ユニット２８に進入する印刷の品質を保証するために、センサはウェブ部分１１２ａ〜１１２ｉを検査してもよい。頁が新聞１１８において適切な順序及び向きになるように、制御装置２００は、ウェブ部分１１２ａ〜１１２ｉに印刷された内容のページネーションを設定してもよい。
【００２６】
図４に示すように、全ての９つのウェブ部分１１２ａ〜１１２ｉ（それぞれ頁の個々のグループの頁の２０００セットを含んでいる）が貯蔵装置２６に収集された後、ウェブ部分１１２ａ〜１１２ｉは折り装置４０において処理される。図４に示された実施の形態において、折り装置４０は、上側フォーマ３０ａと、下側フォーマ３０ｂと、下側折り装置２４とを有している。ウェブ部分１１２ａ，１１２ｂ，１１２ｃ，１１２ｄの第１のセットは個々の巻取ユニット２８ａ，２８ｂ，２８ｃ，２８ｄから繰り出され、所望の整合状態にされ、第１の自動的に制御される紙通し装置によって又は一人又は複数の印刷機オペレータによって手動で折り装置４０に通され、ウェブ部分１１２ｅ，１１２ｆ，１１２ｇ，１１２ｈ，１１２ｉの第２のセットは個々の巻取ユニット２８ｅ，２８ｆ，２８ｇ，２８ｈ，２８ｉから繰り出され、所望の整合状態にされ、第２の自動的に制御される紙通し装置によって又は一人又は複数の印刷機オペレータによって手動で折り装置４０に通される。この実施の形態において、ウェブ部分１１２ａ〜１１２ｄの第１のセットは、縦折りのための上側フォーマ３０ａへ供給され、ウェブ部分１１２ｅ〜１１２ｉの第２のセットは、巻取ユニット２８ｅ〜２８ｉから、縦折りのための下側フォーマ３０ｂに供給される。１つの実施の形態において、フォーマ３０ａ，３０ｂのうちの一方のみが、ウェブ部分１１２ａ〜１１２ｉの全てを縦折りするために設けられていてもよい。別の実施の形態において、フォーマ３０ａ，３０ｂは、互いに横方向にずれていてもよく、縦折りされたウェブ部分１１２ａ〜１１２ｉは、ウェブ部分１１２ｃの表面（すなわち重ね合わされて縦折りされた部分１１２ａ〜１１２ｄの外側ウェブ部分）がウェブ部分１１２ｅの表面（すなわち重ね合わされて縦折りされた部分１１２ｅ〜１１２ｉの外側ウェブ部分）に接触するように、縦折りされたウェブ部分１１２ｅ〜１１２ｉに隣接して整合させられてよい。下側フォーマ３０ｂの下方の引張りローラ４２は、下側折り装置２４へ供給するためにウェブ部分１１２ａ〜１１２ｉを重ね合わせてよい。
【００２７】
下側折り装置２４は、横裁ち装置及び横折り装置を有していてよい。この実施の形態において、横裁ち装置は断裁胴４４であり、横折り装置は、折り胴４６とくわえ胴４８とを有する。断裁胴４４は、連続する新聞１１８を形成するために、重ね合わされたウェブ部分１１２ａ〜１１２ｉを同時に連続して断裁する。断裁胴４４は、断裁胴４４に調節可能に取り付けられた１つ又は２つ以上の断裁刃４４ａを有している。断裁刃４４ａは、重ね合わされたウェブ部分１１２ａ〜１１２ｉが胴４４，４６の間を通過する時に折り胴４６に接触し、ウェブ部分１１２ａ〜１１２ｉを新聞１１８に断裁する。それぞれの新聞１１８は、それぞれの部分１１２ａ〜１１２ｉの１つの小部分を含んでいる。折り胴４６のくわえ爪４６ａは、新聞１１８を掴み、新聞１１８を断裁胴４４からくわえ胴４８へ引き渡す。くわえ爪４６ａは、それぞれの新聞１１８の前縁が折り胴４６とくわえ胴４８との間の最小限の間隙を通過させられるように折り胴４６が回転させられるまで、新聞１１８を掴む。次いで、折り胴４６の折りブレード４６ｂが新聞１１８に接触し、それぞれの新聞１１８を新聞１１８の中央線において横折りするために折りブレード４６ｂと折りくわえ４８ａとが協働するように、新聞１１８をくわえ胴４８の対応する折りくわえ４８ａに押し込む。横折りは新聞１１８を折り畳まれた大判新聞１１８に変換し、この大判新聞はくわえ胴４８からデリバリ５０へ解放される。
【００２８】
同様に、上述のように、ウェブ部分１１２ａ〜１１２ｉは、シートが新聞１１８において現れる順序でシートの内容が印刷される必要はなく、以下で説明するようにウェブ部分１１２ａ〜１１２ｉが折り装置４０において縦折りされるときにウェブ部分１１２ａ〜１１２ｉが後で正しく重ね合わされる限りはあらゆる好都合な順序で印刷されてよい。例えば、新聞１１８のいずれかのシートの内容は、まずウェブ１１２のウェブ部分１１２ａに繰り返し印刷され、その後、新聞１１８のいずれかの他のシートが、ウェブ１２のウェブ部分１１２ａにすぐ続くウェブ部分１１２ｂに繰り返し印刷される。これは、新聞の幾つかのシートのための内容が、シートが最終的な新聞１１８において現れる順序ではなく、新聞の他のシートの内容よりも早く得られることがあるという点で、いつ新聞１１８の印刷が開始するかに関する独特の利点である。印刷機オペレータは、印刷を開始する前にある特定のシートの内容が得られるまで待つ必要はない。
【００２９】
印刷機１００は、あらゆる数の巻取ユニット２８を有していてよく、有利には、デジタル式に印刷された連続する頁グループから様々なセクション数及び頁数で大判新聞を製造するために使用されてよい。択一的な実施の形態において、新聞１１８は、新聞の１つ又は２つのセクションのみであってよく、完全な新聞を形成するために他のセクションと組み合わされてよい。
【００３０】
制御装置２００は、ウェブ部分１１２ａ〜１１２ｉが上側フォーマ３０ａに供給される時、ウェブ部分１１２ｅ〜１１２ｉが下側フォーマ３０ｂに供給される時、及び全てのウェブ部分１１２ａ〜１１２ｉが引張りローラ４２において重ね合わされる時に、ウェブ部分１１２ａ〜１１２ｉが適切に整合させられることも保証する。閉ループレジスタ制御は、折り装置４０への頁グループ同期供給を保証するために使用されてよい。例えば、ウェブ部分１１２ａ〜１１２ｉが互いに適切に整合させられるように、制御装置２００又は別個の制御装置によって制御される複数のセンサが、貯蔵装置２６の出口において及び折り装置４０を通じて配置されていてよい。
【００３１】
別の実施の形態において、印刷ユニット１０は、オフセット平版印刷ユニット又はフレキソ印刷ユニット等の非デジタル印刷ユニットであってよい。可変オフセット平版印刷ユニットのために、印刷ユニット１０の版胴上の刷版は、それぞれの別個のウェブ部分１１２ａ〜１１２ｉの印刷の間に交換又は画像変換されてよい。付加的な実施の形態において、デジタル印刷ユニットと、オフセット平版印刷ユニットと、フレキソ印刷ユニットとのあらゆる組合せが使用されてよく、それぞれのウェブ１１２がデジタル式又は非デジタル式に印刷されるか、又はウェブ部分１１２ａ〜１１２ｉがデジタル式に印刷されかつ非デジタル式に印刷された別のウェブの幾つかの部分と折り装置４０において組み合わされてもよい。
【００３２】
別の実施の形態において、個々のロール供給部２２によって供給される付加的なウェブ１１２に印刷する、デジタル式又は非デジタル式であってよい付加的な印刷セクション１１０が、新聞１１８を製造するために使用されてよい。同様に、上述のように、それぞれのウェブ１１２は、それぞれのウェブ部分に多色印像が印刷されるように複数の印刷ユニット１０によって印刷されてもよい。貯蔵装置２６に複数のウェブ部分を同時に提供するために、２つ以上の印刷セクション１１０が使用されてよい。例えば、貯蔵装置２６は、１２個の巻取ユニット２８を有していてよく、その場合、１つの印刷セクション１１０は、最初の６個の巻取ユニットに連続して供給されるウェブ部分を含む第１のウェブに印刷するのに対し、別の印刷セクション１１０は、次の６個の巻取ユニットに連続して供給されるウェブ部分を含む第２のウェブに印刷する。従って、２つの印刷セクションは、１つの印刷セクション１１０が頁の１２の異なるグループを貯蔵装置２６に供給するためにかかる時間の半分の時間で頁の１２の異なるグループを貯蔵装置２６に供給することができる。次いで、６つのウェブ部分はそれぞれのフォーマ３０ａ，３０ｂに提供され、１２のウェブ部分は重ね合わされ、横裁ちされ、横折りされ、４８頁を有する新聞を形成する。択一的に、付加的な印刷セクション１１０は、貯蔵装置２６の下流においてウェブ１１２の複数の部分と組み合わされるウェブを印刷してよい。例えば、１つ又は２つ以上の付加的な印刷セクション１１０は、貯蔵装置２６に貯蔵されたウェブ部分と同時に折り装置４０へ直接に供給されるウェブを印刷するか、又は１つ又は２つ以上の付加的な印刷セクション１１０は、貯蔵装置２６の外側に貯蔵されかつ貯蔵装置２６に貯蔵されたウェブ部分と同時に折り装置４０へ供給される１つ又は２つ以上の付加的なウェブを印刷してよい。
【００３３】
印刷機１００の能力を最大限にするために、印刷ユニット１０又は付加的な印刷ユニット１０は、幾つかの巻取ユニット２８によって巻き戻されているウェブ部分に印刷しながら、他の巻取ユニット２８は折り装置４０へウェブ部分を供給する。例えば、１つの実施の形態において、貯蔵装置２６は１２個の巻取ユニット２８を有していてよく、第１のセットの６つの巻取ユニットは、２４頁新聞の第１のセットを製造するためにウェブ部分を折り装置４０へ供給しながら、第２のセットの６つの巻取ユニットは、新聞の第２のセットの内容を含んだ個々のウェブ部分を印刷ユニット１０から順次に受け取る。次いで、新聞の第１のセットが形成されかつ新聞の第２のセットのための全てのウェブ部分が第２のセットの６つの巻取ユニットに収容されると、新聞の第２のセットのためのウェブ部分が６つの巻取ユニットの第２のセットから折り装置４０へ供給されて新聞の第２のセットを形成しながら、６つの巻取ユニットの第１のセットは、新聞の第３のセットの内容を含んだ個々のウェブ部分を印刷ユニット１０から順次に受け取る。
【００３４】
また、別の実施の形態において、ウェブ部分１１２を縦折りするために３つ以上のフォーマが使用されてよい。さらに、印刷ユニット１０が複数の異なる印刷長さで印刷してもよいので、１つ又は２つ以上の付加的な折り装置４０が設けられていてよく、その場合は、それぞれの折り装置が、異なる印刷長さを処理するように構成されている。
【００３５】
前記説明では、発明は、発明の特定の典型的な実施の形態及び例に関して説明されている。しかしながら、以下の請求項に示された発明のより広い思想及び範囲から逸脱することなく実施の形態に様々な変更が加えられてもよいことは明白である。従って、明細書及び図面は、限定的な意味ではなく例示的な形式で見なされるべきものである。
【図１ａ】
2011256046.tif 000003
【図１ｂ】
2011256046.tif 000004
【図２ａ】
2011256046.tif 000005
【図２ｂ】
2011256046.tif 000006
【図３】
2011256046.tif 000007
【図４】
2011256046.tif 000008
【外国語明細書】
2011256046.tif 000009
2011256046.tif 000010
2011256046.tif 000011
2011256046.tif 000012
2011256046.tif 000013
2011256046.tif 000014
2011256046.tif 000015
2011256046.tif 000016
2011256046.tif 000017
2011256046.tif 000018
2011256046.tif 000019
2011256046.tif 000020
2011256046.tif 000021
2011256046.tif 000022
2011256046.tif 000023
2011256046.tif 000024
2011256046.tif 000025
2011256046.tif 000026
2011256046.tif 000027
2011256046.tif 000028
2011256046.tif 000029
2011256046.tif 000030
2011256046.tif 000031
2011256046.tif 000032
2011256046.tif 000033
2011256046.tif 000034
2011256046.tif 000035